(57)【要約】【課題】簡単な構造により、これらの汚染ガス成分を確実に除去できる消臭装置を提案すること。【解決手段】炭の層５と活性炭の層６とが互いに隣接して配設される汚染ガス吸収層４を任意の支持体に支持させている。この支持体としては、例えば汚染ガス吸収層４の表裏に配置された強度保持板状材料２，３が例示され、これにより得られた消臭装置は板状となり、各種の室内家具を組み立てる板材として、また、建物を建設する際の板材として利用することができる。【選択図】  図１
2005081066.tif 000002
【特許請求の範囲】
【請求項１】
炭の層と活性炭の層とが互いに隣接して配設される汚染ガス吸収層を任意の支持体に支持させたことを特徴とする消臭装置。
【請求項２】
前記支持体は、前記汚染ガス吸収層の表裏に配置された強度保持板状材料であることを特徴と請求項１記載の消臭装置。
【請求項３】
前記強度保持板状材料の少なくとも一端には、強制吸気装置又は強制排気装置を配置して前記汚染ガス吸収層への汚染空気の送給を行うことを特徴とする請求項２記載の消臭装置。
【請求項４】
前記強度保持板状材料は、居住空間内に向けた通気性開口を備えていることを特徴とする請求項１〜３のいずれかに記載の消臭装置。
【請求項５】
前記強度保持板状材料は、化粧板であることを特徴とする請求項１記載の消臭装置。
【請求項６】
前記消臭装置の一端に固定板を介して移動装置を取り付けたことを特徴とする請求項２〜５のいずれかに記載の消臭装置。
【請求項７】
前記支持体は、壁材、天井材又は床材であり、前記汚染ガス吸収層の居住空間側には壁仕上げ材、天井仕上げ材又は床仕上げ材が配設されていることを特徴とする請求項１記載の消臭装置。
【請求項８】
前記壁仕上げ材、天井仕上げ材又は床仕上げ材は、居住空間に向けて通気口を備えていることを特徴とする請求項７記載の消臭装置。
【請求項９】
前記支持体は、内装材又は建具の一部であることを特徴とする請求項１記載の消臭装置。
【発明の詳細な説明】
【技術分野】
【０００１】
この発明は、建物空間における悪臭などの汚染ガスを効率良くかつ簡単に取り除く消臭装置に関する。
【背景技術】
【０００２】
新築建物から発生するフォルムアルデヒドなどの人体に有害な汚染物質を初めとして介護施設などを中心に有害ガス成分や悪臭の基となるガス成分、ペットなどの動物から発生する悪臭成分（以下、これらを総称して汚染ガス成分という。）は建物や施設を利用する人に不快感を与えるので、これらの有害ガス成分の除去が望まれている。
【０００３】
このため、従来から、芳香剤や化学的吸着剤、物理的吸着剤を利用した消臭装置が種々提案されている（例えば、特許文献１、２参照。）。
【０００４】
例えば、特許文献１（特開２０００−８０７９０号公報）によれば、不快な臭いを除去できる活性炭が収納された畳マットが提案されている。また、特許文献２（特開平１０−１５２９６４号公報）によれば、活性炭、シリカゲル、アルミナ、ゼオライトなどの多孔性物質を含有する吸着層を壁体に積層構造で付与することによりシックビル症候群に効果があることが開示されている。
【０００５】
また、木炭関連商品が遠赤外線効果や吸湿、消臭に効果があり、種々の応用が期待されて商品開発がされていることが開示されている（非特許文献１参照。）。
【特許文献１】特開２０００−８０７９０号公報
【特許文献２】特開平１０−１５２９６４号公報
【非特許文献１】日経流通新聞（１９９９年９月４日第５面）
【発明の開示】
【発明が解決しようとする課題】
【０００６】
活性炭を含む多孔性物質が物理的な吸着能を有して各種の汚染ガス成分を除去できることが知られているが、これらの活性炭をそのままの状態で利用したのでは、汚染ガス成分の除去効果が必ずしも満足の行くものではなかった。
【０００７】
そこで、この発明は、簡単な構造により、これらの汚染ガス成分を確実に除去できる消臭装置を提案することを目的とする。
【課題を解決するための手段】
【０００８】
本発明者は、活性炭の持つ汚染ガス吸収能を最大限に発揮できる簡単な構造について種々検討を行ったところ、驚くべきことに、活性炭の層の近くに炭の層を配設することにより活性炭の有する有害ガス成分吸着能が増大されることを見出した。
【０００９】
即ち本発明は、炭の層と活性炭の層とが互いに隣接して配設される汚染ガス吸収層を任意の支持体に支持させたことを特徴とする消臭装置である。
【００１０】
ここで、この支持体は汚染ガス吸収層の表裏に配置された強度保持板状材料であれば、得られた消臭装置は板状となり、各種の室内家具を組み立てる板材として、また、建物を建設する際の板材として利用することができる。
【００１１】
また、このような強度保持板状材料の少なくとも一端に強制吸気装置又は強制排気装置を配置すれば、汚染ガス吸収層への汚染空気の送給を強制的に行え効率の増大された消臭装置を提供することができる。
【００１２】
また、強度保持板状材料が居住空間内に向けた通気性開口を備えていれば、消臭装置を室内に向けて配置するだけで、自然循環により空気中に浮遊する汚染ガス成分を吸収して除去することができる。
【００１３】
また、強度保持板状材料が化粧板であれば、そのまま消臭装置を室内に配設することができ、また、仕上げ用の各種家具材料、建築材料などとして利用できる。
【００１４】
また、この消臭装置の一端に固定板を介して移動装置を取り付ければ、移動可能な消臭装置が提供され、板状材料である場合にはこの移動可能な消臭装置は移動衝立として利用することもできる。
【００１５】
また、この支持体が壁材、天井材又は床材であり、汚染ガス吸収層の居住空間側には壁仕上げ材、天井仕上げ材又は床仕上げ材が配設されていれば、消臭装置が組み込まれた壁構造、天井構造又は床構造を提供することができる。
【００１６】
さらに、この壁仕上げ材、天井仕上げ材又は床仕上げ材が居住空間に向けて通気口を備えていれば、強制的な吸排気装置を持たない場合でも自然に汚染ガスを吸収できる壁構造、天井構造又は床構造が提供される。また、このような壁構造、天井構造又は床構造は強制的な吸排気設備を備えたものであってもよい。
【００１７】
また、この支持体は、内装材又は建具の一部であってもよく、これにより本発明の消臭装置は建物間仕切り、ドア、扉、襖などとして利用できる。
【発明の効果】
【００１８】
本発明によれば、炭層と活性炭層とを隣接して配設するという簡単な構造により活性炭の有する汚染ガス吸収能を高めることができる。
【発明を実施するための最良の形態】
【００１９】
以下、本発明を実施するための最良の形態について図面を参照しつつ説明する。なお、以下の図面においては発明を模式的に説明するので、縦及び横の各寸法は実際の寸法とは異なり特徴部分のみを誇張して説明することがある。
【００２０】
先ず、図１及び図２は、本発明の消臭装置の一例としての消臭板を説明する図である。これらの図において、符号１は消臭装置としての消臭板であり、この消臭板１は、強度保持板状材料２，３に挟持されて汚染ガス吸収層４が設けられている。
【００２１】
この強度保持板状材料２，３としては、適宜の強度を備え平面又は曲面を形成した面状支持材料が挙げられ、好ましくは通気性を備えた材料である。このような強度保持板状材料の好ましい一例としては、金属板、木材板、タイル材、石膏ボード、合成樹脂板などの比較的硬い材料から、布材、不織布材料などの繊維質材料材であって、樹脂加工されることにより適宜の強度を備えたものが挙げられる。
【００２２】
このような強度保持板状材料として、通気性を備えたものが好ましく、例えば、金属板のようなものの場合には、パンチングメタルのような適宜の間隔で開口を備えたものが望ましい。
【００２３】
また、この強度保持板状材料２，３としては、表面が床材、壁・天井材、プラスチック材、壁紙、畳表材などの内装仕上げ材を貼着したり、塗装処理、仕上げ処理などの適宜の化粧が施されたものであってもよい。もちろん、これらの消臭板１が、仕上げ前の中間体であったり、また、表面に露出して配設されないことにより、このような化粧が施されていなくてもよい。
【００２４】
次に、汚染ガス吸収層４としては、炭が充填された炭層５と活性炭が充填された活性炭層６とを含む積層構造により形成されている。ここで、図１の消臭板１では、炭層５と活性炭層６とが平面方向に直交した方向に交互に配列されており表裏の強度保持板状材料２，３は汚染ガス吸収層４に向けて貫通する孔１２が設けられている。
【００２５】
一方、図２の消臭板１では、炭層５と活性炭層６とが平面方向に積層され、汚染ガス吸収層４の一端は、汚染ガス吸収層４に向けて貫通する孔１２が設けられた板状材料８で閉塞されている。いずれの消臭板１でも本発明に包含され、これらの孔１２はあってもなくてもよい。
【００２６】
本発明においては、炭層５に隣接して活性炭層６が配設されることにより活性炭の汚染ガス成分吸着・捕獲効率が増大されるという作用効果を利用しているので、炭層５と活性炭層６とは互いに隣接して配設されていることが重要であるが、その配設方向は、図１及び図２のどちらの例でもよい。
【００２７】
炭層５に用いられる炭材（炭）としては、特には制限はない。例えば、備長炭などで代表される木炭が好ましい材料として例示されるが、竹炭であってもよい。これらの炭材は、汚れの吸着、吸湿、消臭、遠赤外線効果などさまざまな効果を有することがわかってきつつあり、消臭効果を利用してその他の材料と組み合わされて開発されている商品であってもよい。もちろん、本発明における最大の特徴は、炭材を破砕程度の簡単な処理によりそのまま利用できることにあるので、実質的に他の材料は用いなくてもよい。
【００２８】
ここで、この炭材の形状は自由に選択できる。適宜の大きさに切断又は破砕されて炭層５を形成されるべく加工されている。適切な大きさに破砕させることにより、吸着表面積を適度に調整することができる。また、大きな破砕片又は切断片と小さな破砕片又は切断片を混用することもできる。このように大きさの異なる炭材を用いる場合には、空気の流れに沿って大きさを漸次小さくすることもよい。
【００２９】
炭層５の形成は、炭材を配設したり、充填することにより形成されるが、粗い布や不織布（孔が空いた不織布などを含む）などの通気性材料により袋状に形成し、内部に炭材を充填したものを敷設して炭層５を形成してもよい。通気性が良好な材料であれば、これらの袋状材料は、実質的に通気を阻害しないので、炭の吸着能を阻害することがない。
【００３０】
また、このような炭層５は、形態保持などのために適宜のバインダで接合されて層状（ボード状）に形成されたものでもよい。バインダなどにより箱形に形成された炭材を隣接配設することにより炭層５を形成することもできる。
【００３１】
もちろん、強度保持材料２，３等で挟持される等により形態を維持できれば、これらのバインダや袋材は不要である。
【００３２】
一方、活性炭層６に用いられる活性炭材としては、椰子殻活性炭などの一般的な活性炭が安価で入手できるので好ましいが、その他、繊維状の活性炭（活性炭素繊維）や微粒子活性炭、石炭活性炭などであってもよい。これらの活性炭は吸着作用を利用して、各種の悪臭ガス等を取り除く材料として広く知られており、また、長期間の使用後に臭いなどを吸着したものを再生して再利用が可能である。
【００３３】
このような活性炭材料は、炭層５に隣接して配置され、好ましくは炭層５と活性炭層６とは交互に複数層が積層され、積層方法は交互であればよい。用いる活性炭材料がシート状であったり、バインダーで固定されていればそのまま充填することもできる。通気性を確保するために適宜の大きさを備えた粒状の活性炭を用いる場合には、粒状の活性炭材料が通過しない程度の布目の布材、不織布材などの通気性を備えた繊維質材料の袋に充填して用いてもよい。粒状の活性炭材料を充填した袋状物によれば活性炭層６が簡易に形成できる。通気性が良好な材料であれば、実質的に通気を阻害しないので、活性炭の吸着能を阻害することがない。
【００３４】
以上説明した本発明の消臭板１においては、そのまま居室内に配置したり、建物の一部として固定することにより利用できるが、適宜の吸気手段、排気手段と組み合わせて汚染ガス吸収層４に強制的に処理されるべき空気を送給させることにより効果を増大させることもできる。
【００３５】
いずれの場合にも炭層５及び活性炭層６とを独立に配設した場合に比べて隣接して配設した場合のみ汚染ガス吸収効果が顕著に確認される。この理由は定かではないが、炭材に本質的に備わっている遠赤外線効果が起因しているのではないかと考えられる。
【００３６】
ここで、遠赤外線効果は常温でも発揮できるが、例えば、汚染ガス吸収層４に循環される汚染ガスを含む空気を温風に代えて積極的に循環させることにより、本発明の効果を増大させることができると考えられる。このためには、空気循環系路に加熱手段を備えることが望ましい。
【００３７】
また、ある種の木炭ボードは、シックハウス症候群物資のほとんどを長期にわたって吸着することができることが知られている。また、この木炭ボードは、電流を流すことにより５０℃程度に発熱できるため、省エネルギー型の暖房用具としても活用が期待されている。炭層５をこのような発熱性の木炭ボードで形成させることにより、遠赤外線効果を高めることが期待される。
【００３８】
これにより、本発明の消臭板１は、居住空間に配置することにより汚臭等を吸収させることができるので、建物間仕切り、ドア、扉、襖などを含む建具の一部として、また、天井材、壁材、床材を含む建物の内装材の一部として固定して利用することができる。
【００３９】
また、本発明の消臭板１は、取り外しの自由な付床、移動して持ち運び可能な置き床などの床板として利用することもできる。また、丁番などを付して屏風型の衝立としても利用できる。さらに、化粧板に適宜の移動手段を設けて、例えば、移動衝立、移動扉材などとして利用してもよい。
【００４０】
なお、建物内装の一部として固定する場合には、図３に示すような壁構造９としてもよい。この図３において符号７は壁下地材であり、この壁下地材７に支持されて汚染ガス吸収層４が配置されている。この汚染ガス吸収層４の居住空間側には、強度保持板状材料２としての表面に向けて開口を備えた石膏ボードが貼着され、その石膏ボードの表面は壁紙８で化粧されている。汚染ガス吸収層４を構成する炭層５及び活性炭層６は図１又は図２の例と実質的に同一乃至は均等である。
【００４１】
壁構造９のように垂直に長い場合には炭層５は樹脂で補強された粗い布目の材料又は竹籤などにより形成されたボックス状の材料（かご）中に予め充填したものを順次配置したり、または活性炭層６との境界を金網などの任意の支持体により支持させるなどして形成することができる。また、図示の方向に加えて、炭層５と活性炭層６を縦方向に積層してもよい。
【００４２】
また、壁構造９の場合には、壁構造９の天井裏面などにダクトを介して天井面に敷設された吸排気口とを結ぶ吸排気設備を設けることにより、天井面から吸排気を行うように構成することもできる。吸排気設備を駆動させて汚染ガス吸収層４から天井面の排気口に向けて送風すれば、居室２５内の空気は壁紙８及び強度保持板状材料２に設けられた開口を通過して汚染ガス吸収層４を通過して悪臭が除去され、天井面に設けられた排気口からきれいな空気となって排出できる。
【００４３】
同様に、汚染ガス吸収層４は、壁のみならず、床材、天井材に支持されていてもよい。いずれの場合にも本発明においては、炭層５と活性炭層６とが隣接して配置されて汚染ガス吸収層４を形成していれば、強度保持板状材料２，３はあってもなくてもよく、このような構造も本発明に含まれる。
【実施例】
【００４４】
以下、実施例により本発明を詳細に説明するが、本発明はこれらの実施例により制限されるものではない。
（実施例１）
この実施例１は、本発明の消臭板１の下部に固定板を介して移動装置としての車輪を配することにより移動衝立１０として応用した実施例である。
【００４５】
この移動衝立１０は、図４に示すように、幅及び高さが１ｍ〜２ｍ程度、厚みが１０〜２０ｃｍ程度の衝立状に形成されている。
【００４６】
この移動衝立１０は、上方に開口１１ａが形成されたステンレス製の箱材１１から形成されている。この箱材１１の表面には、１ミリメートル程度から数センチメートル程度の範囲内の多数の孔１２が穿設されている。これらの孔１２は、通気性の無い箱材１１に通気性を持たせるためのものであるので、この孔１２の径及び数は特には制限されない。
【００４７】
箱材１１の下端には意匠性、収納スペースの確保、組立の利便性等の目的で化粧ボックス１３が取付取り外し可能に固定されている。また、この化粧ボックス１３の下端には前後一対の固定板１４、１４が固定され、その固定板１４，１４にはそれぞれストッパ付きの一対（合計４個）の可動車輪（キャスタ）１５が固定されている。
【００４８】
この移動衝立１０の開口１１ａから、図５に示すように、備長炭などの炭と椰子殻活性炭などの粒状活性炭が交互に充填されて、炭層５と活性炭層６とが鉛直方向に交互に積層された汚染ガス吸収層４が形成されている。
【００４９】
ここで、汚染ガス吸収層４の厚みは約５〜２０ｃｍ程度であり、各炭層５の高さは１０〜２０ｃｍ程度、各活性炭層６の厚みは５〜１０ｃｍ程度であり、炭層５が活性炭層６に比べて大きな体積を保有している。また、各炭層５では、下部を占める炭の大きさを比較的大きくして上方に配置される活性炭層６との境界に向けて徐々に小さい炭片が積み重ねられている。
【００５０】
このように構成された汚染ガス吸収層４の上端縁（消臭板１の上端縁）に、図６に示すように、汚染ガス吸収層４に向けた開口を備えたダクト１６を介して排気ファン（排気設備）１７を取り付け、取り外し自由に固定する。この排気ファン１７は化粧ボックス１３内に収納された電源又は電源コードに接続され、不図示のスイッチを備えている。
【００５１】
以上のように構成した移動衝立１０によれば次の作用を有する。
【００５２】
まず、このような移動衝立１０によれば、消臭板１が上下方向で取り付け、取り外しが可能に構成されているので、内部の汚染ガス吸収層４の充填及び取り替えが自由に行える。
【００５３】
また、キャスタ１５を設けたことにより、この移動衝立１０は移動が簡易となり、自由に何処へでも設置が可能であり、位置を確定後にはストッパにてキャスタ１５の動きを止めて固定設置することができる。
【００５４】
次に、電源をオンすることにより、排気ファン１７を駆動させて汚染ガス吸収層４内に滞留する空気を排出する。これにより、汚染ガス吸収層４内は減圧となり、孔１２から周囲の汚染ガスを含む空気を吸収する。
【００５５】
空気は、炭層５と活性炭層６を交互に下から上に向けて通過する。ここで、この炭層５では、炭の大きさを下から上に向けて小さく配列することにより吸着能を高めることができる（以下、この効果をサイズ効果と称する。）。これにより、吸着捕獲可能な空気中の悪臭成分を構成する汚染ガス成分は可能な限り吸着除去することができ、炭層５は汚染ガス成分の一次フィルタの役割を果たすことになる。
【００５６】
このような炭層５の一次フィルタとしての役割やサイズ効果を最大限に発揮させるためには、図６において符号１２´で示した孔を閉鎖して空気の取り入れを炭層５からのみ行えるように構成してもよい。
【００５７】
ついで、空気は、炭層５の上に配置された活性炭層６を通過する。活性炭層６は、炭層５よりも強く汚染ガスを吸収する。ここでは、この活性炭層６が炭層５に隣接して配列されていることにより通常より汚染ガス吸収能が高められている。これにより、炭層５で吸着、補足されなかった汚染ガス成分は、この活性炭層６によりほぼ完全に捕獲され、この活性炭層６は、第２次フィルタとしての役割を果たす。
【００５８】
実際にこのような移動衝立１０をトイレ（化粧室）内又は介護施設内の悪臭発生部に配置し、多数の人にアンケート回答によりモニタリングテストを実施したところ、実質的に悪臭を全く感じない程度に環境が改善され、多数の使用者にとって快適な化粧室であるとの評価を得ることができた。
【００５９】
比較のために、汚染ガス吸収層４を備長炭単独又は活性炭単独でそれぞれ充填した移動衝立を同様に配置した場合、及びそれらの移動衝立を１ｍ以上離間させて同室に設置した場合には、悪臭は相当程度改善されていたが、本発明の炭層５と活性炭層６とを交互に積層した場合には及ばなかった。
【００６０】
本発明において、このような悪臭除去効果が得られる理由は定かではないが、備長炭単独の充填剤が充填された移動衝立と活性炭単独の充填剤が充填された移動衝立とを距離を離して配置しても効果が得られなかったことから、互いの層が隣接して配設されていることが本質的に重要であると考えられた。また、この原因は、炭から発生する遠赤外線の放出が活性炭素の悪臭ガスの吸着又は分解に関与しているのではないかと推定された。
【００６１】
なお、以上の実施例では、移動衝立１０の実証試験はトイレ（化粧室）内に配設されて実施されたが、これに限らない。例えば、介護施設を含む各種の建物の間仕切り、可動扉などに適用することもできる。これにより、通常、人間にとって不快な刺激を与える汚染ガス成分を充分に除去することができる。
（実施例２）
この実施例２は、本発明の消臭構造を居室空間の床構造に応用した一例を示している。
【００６２】
この床構造２０は、図７に示すように、密閉性を確保するためのフィルム処理などがされた床板２１の上に互いに交叉した多数の根太２１ａを介して略方形の床材２２が取り外し可能に多数配設されている。これにより、床材２２と床板２１との間に汚染ガス吸収層４を配設するために空間が設けられている。なお、この図では、根太２１ａは、床材２２を直接支持する部分のみが図示されて他の根太は図面には現れていないが、根太２１ａは、互いに交叉して配列されたり、適宜の箇所に空気を流通させるための切欠を設けるなどにより、汚染ガス吸収層４の空気の流れが損なわれないように配慮されている。
【００６３】
この汚染ガス吸収層４は、備長炭などの炭が配設された炭層５とその炭層５の上に形成された活性炭からなる活性炭層６から構成されている。
【００６４】
この汚染ガス吸収層４の両側縁４ａ（又は前後端縁でもよく、その双方でもよい。）には汚染ガス吸収層４に開口を向けたダクト２３、２４が形成されている。ダクト２３には不図示の吸排気ファンが固定され、その居室２５側には吸排気口２６が３カ所設けられている。
【００６５】
また、ダクト２４内には不図示の吸排気ファンが固定され、その居室２５側には吸排気口２７が３カ所設けられている。また、ダクト２３の形成されていない端縁（前後端縁）は密閉性を確保するためのフィルム処理が施されている。
【００６６】
以上のように構成された床構造２０によれば次の作用効果を奏する。
【００６７】
ダクト２３側の吸気排気ファンから吸気運転させ、他方のダクト２４の吸排気ファンを排気運転させることにより、吸排気口２６から居室内の空気がダクト２３を介して汚染ガス吸収層４を通過する。汚染ガス吸収層４では汚染ガス成分が炭及び炭により活性化された活性炭によりほぼ完全に吸着されてダクト２４を介して吸排気口２７から居室内に排出される。この排出ガスは、悪臭を発生するガスが除かれた無臭空気となる。各吸排気口２６，２７の双方又は一方にフィルタを備えていれば、粉塵なども除去されて、一層クリーンな空気が提供される。
【００６８】
また、このように構成された床構造２０によれば、図７に示すように、床材２２の一部として符号２２´で示す床材を取り除くことにより任意の位置に開口２８を設けることができ、この開口は吸排気口として利用できる。この開口２８には、符号２２´で示す床材と同じ大きさのフィルタユニットなどにより閉鎖させる。
【００６９】
例えば、居室空間に介護用ベッドなどを配設する場合、そのベッドの下に相当する位置の床材２２を取り除く。介護用ベッドでは脚部を備えて床面との間に空間を有するので、床材２２を取り除いてできる大きな開口２８は、吸排気口としてそのまま利用できる。各吸排気ファンを排気運転することにより開口２８からベッドに横たわる老人等の被介護者に起因して発生する悪臭を効率的にベッド下の空間を介して汚染ガス吸収層４に吸収させることができる。これにより、被介護者に起因して発生する悪臭が拡散するのを未然に防ぐことができる。
【００７０】
吸排気ファンを吸気運転させれば、ベッド下の空間から悪臭が除けたクリーンな空気を排出させることができ、ベッド使用者は、快適に過ごすこともできる。
【００７１】
なお、以上の実施例２はダクトは上方に位置する居室空間に向けて配置されていたが、ダクトを壁内などを介して天井裏まで配管すれば、天井面から排気又は吸気を行うこともできる。この場合、天井面にフィルタユニットなどを取り付ければ、天井面から浄化された空気を送給することもできる。介護施設の使用者は、汚染ガスにより不快感を与えることもあるが、本発明の消臭構造を採用すれば、汚染ガス成分を空気中から除去できるので、施設を利用する利用者又は施設従業員が快適に過ごすことが可能となる。
【００７２】
また、以上の吸排気設備は手動でオンオフを行う前提で説明したが、タイマーなどを利用して所定の時間帯に、又は一定時間毎に空気清浄を行うように構成してもよい。
【００７３】
また、所定の位置に汚染ガス成分を検知できるセンサ装置を設け、汚染ガスが所定の濃度以上の場合には強制的に自動運転が可能に設計してもよい。
【００７４】
なお、以上の説明では汚染ガスの除去を主体に説明したが、炭材が身体の健康増進に寄与しているのではないかということが種々の資料において説明されているが、本発明では炭材及び活性炭材はそのままの材料がそのままの状態で用いられることにより、これらの健康増進効果を阻害しないと考えられる。それ故、本発明の消臭構造は健康増進構造と位置づけすることも可能である。
【産業上の利用可能性】
【００７５】
以上に説明した本発明の消臭装置によれば、各種の汚染ガス成分を除去することができるので、新築住宅に一定期間配置することにより「シックハウス」を回避することができる。
【００７６】
また、病院や各種老人介護施設などに装備して、又は配置して、常時、各種薬剤から生じる悪臭やこれらの施設を活用する人を含む動物から放出される悪臭を常時除去することができる。
【００７７】
また、各家庭では、ペットに起因する臭いを始め、その他の臭いを除去するために簡易に利用することもできる。
【００７８】
さらには、ゴミ廃棄施設に関連して本発明の消臭装置を導入すれば、各種廃棄物から発生する悪臭を除去することにより地域環境を損なうことが低減される。
【図面の簡単な説明】
【００７９】
【図１】本発明に係る消臭構造の一例としての消臭板の構造を説明するための斜視図である。
【図２】本発明に係る消臭構造の一例としての消臭板の他の構造例を説明するための斜視図である。
【図３】本発明に係る消臭構造の一例としての壁構造を説明するための要部断面図である。
【図４】本発明に係る消臭構造の一例としての移動衝立を説明するための図であり、汚染ガス吸収層４を配設するまえの斜視図である。
【図５】図４において汚染ガス吸収層４を配設した場合を説明する断面図である。
【図６】図５に開口部にダクトを介して吸排気排気設備を設置した場合の移動衝立を断面により説明する図である。
【図７】本発明に係る消臭構造の一例としての床構造を床面付近を説明する要部斜視図である。
【符号の説明】
【００８０】
１：消臭板
２：強度保持板状材料
３：強度保持板状材料
４：汚染ガス吸収層
４ａ：側縁
５：炭層
６：活性炭層
７：壁下地材
８：側板
９：壁構造
１０：移動衝立
１１：箱材
１１ａ：開口
１２：孔
１３：化粧ボックス
１４：固定板
１５：キャスタ（可動車輪）
１６：ダクト
１７：排気ファン（強制吸気装置又は強制排気装置）
２０：床構造
２１：床板
２１ａ：根太
２２：床材（床仕上げ材）
２２：床材（フィルターユニット）
２３，２４：ダクト（強制吸気装置又は強制排気装置）
２５：居室
２６，２７：吸排気口
２８：開口
【図１】
2005081066.tif 000003
【図２】
2005081066.tif 000004
【図３】
2005081066.tif 000005
【図４】
2005081066.tif 000006
【図５】
2005081066.tif 000007
【図６】
2005081066.tif 000008
【図７】
2005081066.tif 000009